(57)【要約】【課題】複数のシナリオが時間的・空間的に共存している場合でも、複数の当事者間の相互作用に起因する事故を理解することが可能な情報処理装置、システム及びプログラムを提供すること。【解決手段】本発明によれば、情報処理装置であって、第１入出力デバイス及び第２入出力デバイスと通信可能に構成され、前記情報処理装置は、記憶部と、受信部と、判定部と、送信部とを備え、前記記憶部は、ＶＲ空間情報と、不適切行動データベースとを記憶し、ここで、前記ＶＲ空間情報とは、前記第１入出力デバイスを使用する第１ユーザーと、前記第２入出力デバイスを使用する第２ユーザーとが共有アクセス可能なＶＲ空間を規定する情報であり、前記不適切行動データベースとは、不適切行動情報を規定するデータベースであり、ここで、前記不適切行動情報とは、不可視の不適切事象が発生し得る不適切行動を表す情報であり、前記受信部は、前記第１入出力デバイスから第１行動情報を、前記第２入出力デバイスから第２行動情報を受信可能に構成され、ここで、前記第１行動情報とは、前記第１ユーザーの実空間における第１行動を表す情報であり、前記第２行動情報とは、前記第２ユーザーの実空間における第２行動を表す情報であり、前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、前記送信部は、前記不適切行動を構成すると判定された場合、前記不適切事象の発生を表す発生情報を、前記第１入出力デバイス又は前記第２入出力デバイスに送信可能に構成される、情報処理装置が提供される。
2020235354.tif 000002
【特許請求の範囲】
【請求項１】
情報処理装置であって、
第１入出力デバイス及び第２入出力デバイスと通信可能に構成され、
前記情報処理装置は、記憶部と、受信部と、判定部と、送信部とを備え、
前記記憶部は、ＶＲ空間情報と、不適切行動データベースとを記憶し、ここで、
前記ＶＲ空間情報とは、前記第１入出力デバイスを使用する第１ユーザーと、前記第２入出力デバイスを使用する第２ユーザーとが共有アクセス可能なＶＲ空間を規定する情報であり、
前記不適切行動データベースとは、不適切行動情報を規定するデータベースであり、ここで、前記不適切行動情報とは、不可視の不適切事象が発生し得る不適切行動を表す情報であり、
前記受信部は、前記第１入出力デバイスから第１行動情報を、前記第２入出力デバイスから第２行動情報を受信可能に構成され、ここで、
前記第１行動情報とは、前記第１ユーザーの実空間における第１行動を表す情報であり、
前記第２行動情報とは、前記第２ユーザーの実空間における第２行動を表す情報であり、
前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、
前記送信部は、前記不適切行動を構成すると判定された場合、前記不適切事象の発生を表す発生情報を、前記第１入出力デバイス又は前記第２入出力デバイスに送信可能に構成される、
情報処理装置。
【請求項２】
請求項１に記載の情報処理装置において、
前記不適切行動は、前記第１行動と前記第２行動の組み合わせにより構成される、
情報処理装置。
【請求項３】
請求項１又は請求項２に記載の情報処理装置において、
前記第１行動又は前記第２行動は、前記ＶＲ空間に対応する実空間において、実際の物を操作する行動を含む、
情報処理装置。
【請求項４】
請求項１〜請求項３の何れか１つに記載の情報処理装置において、
反映部を備え、
前記ＶＲ空間は、第１空間及び第２空間を含み、
前記第１空間及び前記第２空間は、それぞれ異なる空間であり、且つ、それぞれが一体となって１つのＶＲ空間を構成するものであり、
前記反映部は、前記第１空間における前記第１行動を、前記第２空間に反映可能に構成される、
情報処理装置。
【請求項５】
請求項１〜請求項４の何れか１つに記載の情報処理装置において、
前記不適切行動は、人体に有害な影響を与えうる要因を有する環境における行動であり、且つ、以下の（１）〜（３）の少なくとも１つについて定義される；
（１）予め定められた複数の物の組み合わせ
（２）予め定められた複数の行動の組み合わせ
（３）予め定められた物と行動の組み合わせ
情報処理装置。
【請求項６】
請求項５に記載の情報処理装置において、
前記（１）は、前記複数の物のうち特定の物の配置距離、又は、前記複数の物のうち特定の物の状態変化、の少なくとも一方について定義される、
情報処理装置。
【請求項７】
請求項５又は請求項６に記載の情報処理装置において、
前記（２）は、前記複数の行動のうち特定の行動の実行順、又は、前記特定の行動の実行間隔、の少なくとも一方について定義される、
情報処理装置。
【請求項８】
請求項５〜請求項７の何れか１つに記載の情報処理装置において、
前記（３）は、前記物から予め定められた範囲内で前記行動が実行されること、又は、前記物が開封されてから予め定められた時間内に前記行動が実行されること、の少なくとも一方について定義される、
情報処理装置。
【請求項９】
システムであって、
情報処理装置、第１入出力デバイス及び第２入出力デバイスを備え、
前記情報処理装置は、第１入出力デバイス及び前記第２入出力デバイスと通信可能に構成され、
前記情報処理装置は、記憶部と、受信部と、判定部と、送信部とを備え、
前記記憶部は、ＶＲ空間情報と、不適切行動データベースとを記憶し、ここで、
前記ＶＲ空間情報とは、前記第１入出力デバイスを使用する第１ユーザーと、前記第２入出力デバイスを使用する第２ユーザーとが共有アクセス可能なＶＲ空間を規定する情報であり、
前記不適切行動データベースとは、不適切行動情報を規定するデータベースであり、ここで、前記不適切行動情報とは、不可視の不適切事象が発生し得る不適切行動を表す情報であり、
前記受信部は、前記第１入出力デバイスから第１行動情報を、前記第２入出力デバイスから第２行動情報を受信可能に構成され、ここで、
前記第１行動情報とは、前記第１ユーザーの実空間における第１行動を表す情報であり、
前記第２行動情報とは、前記第２ユーザーの実空間における第２行動を表す情報であり、
前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、
前記送信部は、前記不適切行動を構成すると判定された場合、前記不適切事象の発生を表す発生情報を、前記第１入出力デバイス及び前記第２入出力デバイスに送信可能に構成され、
前記第１入出力デバイス及び前記第２入出力デバイスは、前記発生情報を前記第１ユーザー及び前記第２ユーザーに提示可能に構成される、
システム。
【請求項１０】
請求項９に記載のシステムであって、
空間規定部材を備え、
前記空間規定部材は、前記ＶＲ空間に対応する実空間に配置され、
前記第１行動及び前記第２行動は、前記空間規定部材を操作する行動を含む、
システム。
【請求項１１】
第１入出力デバイス及び第２入出力デバイスと通信可能なコンピュータを、記憶部、受信部、判定部及び送信部として機能させるプログラムであって、
前記記憶部は、ＶＲ空間情報と、不適切行動データベースとを記憶し、ここで、
前記ＶＲ空間情報とは、前記第１入出力デバイスを使用する第１ユーザーと、前記第２入出力デバイスを使用する第２ユーザーとが共有アクセス可能なＶＲ空間を規定する情報であり、
前記不適切行動データベースとは、不適切行動情報を規定するデータベースであり、ここで、前記不適切行動情報とは、不可視の不適切事象が発生し得る不適切行動を表す情報であり、
前記受信部は、前記第１入出力デバイスから第１行動情報を、前記第２入出力デバイスから第２行動情報を受信可能に構成され、ここで、
前記第１行動情報とは、前記第１ユーザーの実空間における第１行動を表す情報であり、
前記第２行動情報とは、前記第２ユーザーの実空間における２１行動を表す情報であり、
前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、
前記送信部は、前記不適切行動を構成すると判定された場合、前記不適切事象の発生を表す発生情報を、前記第１入出力デバイス及び前記第２入出力デバイスに送信可能に構成される、
プログラム。
【発明の詳細な説明】
【技術分野】
【０００１】
本発明は、情報処理装置、システム及びプログラムに関する。
【背景技術】
【０００２】
研究者のための教育は、産業の発展のため、いつの時代も必要とされる。特許文献１には、教育内容における不明点を根本的にさかのぼって解明し、その理解を確実なものとして、誰でも無理なく成績の上がる教育指導方法が開示されている。
【先行技術文献】
【特許文献】
【０００３】
【特許文献１】特開２０００−３４７５５９号公報
【発明の概要】
【発明が解決しようとする課題】
【０００４】
ところで、複数人が同時に個々の作業を実行する現場では、従来に無い新しい作業を実行する場合や、従来からある作業でも習熟度が低い作業者が担当することがある。また、複数人で「空間」と「モノ」と「ユーティリティー」を共有し、人がそれぞれの目的の中で操作を行っている状況では、複数のシナリオが時間的・空間的に共存している巨大複雑化システムであるため、自分自身の操作が誤っている場合に起こる事故等の人的災害に加え、自分自身の操作が誤っていない場合にも人的災害が起こることがあり、あるいは、自分自身の操作からは想定外の内容や被害の重篤度の人的災害が起こることがある。このような状況の中、産業界で採用されている教育（講習）手法は、労働安全衛生管理のための作業手順標準化とその徹底に主眼を置いているものであり、上述の巨大複雑化システムに対応できていない。【０００５】
現在、産業界では、体験学習教材が盛んに作製されているが、これらは、予め人が操作ミスをしたときの事故現象を再現するのみで、その原理を理解させる教材とは本質的に異なる。また、自身の操作が原因ではなく、周囲の作業者の操作ミスによる事故や、複数の作業者および周辺に存在する複数の人の行動の相互作用によって発生する事故現象を再現させることは想定されていない。以下、実際に作業を実行する作業者と、事故（不適切事象）が発生した場合に影響を受ける位置に存在する人を合わせて当事者と呼ぶこととする。【０００６】
本発明は、かかる事情に鑑みてなされたものであり、複数のシナリオが時間的・空間的に共存している場合でも、複数の当事者間の相互作用に起因する事故を理解することが可能な情報処理装置、システム及びプログラムを提供することを目的とする。
【課題を解決するための手段】
【０００７】
本発明によれば、情報処理装置であって、第１入出力デバイス及び第２入出力デバイスと通信可能に構成され、前記情報処理装置は、記憶部と、受信部と、判定部と、送信部とを備え、前記記憶部は、ＶＲ空間情報と、不適切行動データベースとを記憶し、ここで、前記ＶＲ空間情報とは、前記第１入出力デバイスを使用する第１ユーザーと、前記第２入出力デバイスを使用する第２ユーザーとが共有アクセス可能なＶＲ空間を規定する情報であり、前記不適切行動データベースとは、不適切行動情報を規定するデータベースであり、ここで、前記不適切行動情報とは、不可視の不適切事象が発生し得る不適切行動を表す情報であり、前記受信部は、前記第１入出力デバイスから第１行動情報を、前記第２入出力デバイスから第２行動情報を受信可能に構成され、ここで、前記第１行動情報とは、前記第１ユーザーの実空間における第１行動を表す情報であり、前記第２行動情報とは、前記第２ユーザーの実空間における第２行動を表す情報であり、前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、前記送信部は、前記不適切行動を構成すると判定された場合、前記不適切事象の発生を表す発生情報を、前記第１入出力デバイス又は前記第２入出力デバイスに送信可能に構成される、情報処理装置が提供される。【０００８】
本発明に係る情報処理装置では、不適切行動データベース（ＶＲ空間内における不適切行動を規定するデータベース）を準備し、ＶＲ空間情報と、第１，第２ユーザーの実空間における行動を表す第１，第２行動情報と、不適切行動情報に基づいて、不可視の不適切事象の発生を判定することができる。これにより、第１ユーザー及び第２ユーザーによる複数のシナリオが時間的・空間的に共存している場合でも、複数の当事者間の相互作用に起因する事故を理解することが可能になる。
【図面の簡単な説明】
【０００９】
【図１】一実施形態に係るシステム１００の機能ブロック図。
【図２】システム１００により実現されるＶＲ空間を表す模式図。
【図３】不適切データベースに記憶された情報の一例。
【図４】システム１００により実現される処理を表すフローチャートの一例。
【発明を実施するための形態】
【００１０】
以下、図面を用いて本発明の実施形態について説明する。以下に示す実施形態中で示した各種特徴事項は、互いに組み合わせ可能である。特に、本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【００１１】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１２】
１．システム１００の構成
図１に示すように、システム１００は、情報処理装置１、第１入出力デバイス５、及び第２入出力デバイス６を備える。本実施形態では、システム１００はさらに、再現装置９を備える。情報処理装置１は、ネットワークＮＷを介して第１入出力デバイス５、第２入出力デバイス６及び再現装置９と通信可能に構成される。
【００１３】
情報処理装置１は、例えば、サーバーにより構成される。情報処理装置１はネットワークＮＷを介して情報を授受できれば良い。すなわち、ユーザーの作業場所と同一空間に存在する必要はなく、クラウドサーバーとすることも可能である。第１入出力デバイス５及び第２入出力デバイス６は、ヘッドマウントディスプレイやスマートグラスに任意の位置情報取得手段を組み合わせて構成される。再現装置９は、不適切事象を再現し、ユーザーに擬似的に不適切事象を体験させるものである。再現装置９は、温度、送風、臭い、音、色、光等を再現可能な装置により構成される。
【００１４】
（１−１）情報処理装置１
情報処理装置１は、制御部１０、受信部２０、送信部３０、記憶部４０を備える。また、制御部１０は、変換部１１、判定部１２、反映部１３を備える。
【００１５】
＜記憶部４０＞
記憶部４０は、種々のプログラム及びデータを記憶するものであり、例えばメモリ、ハードディスク、ＳＳＤ等により構成される。本実施形態では、記憶部４０は、ＶＲ空間情報と、不適切行動データベースとを記憶する。ここで、ＶＲ空間情報は、第１入出力デバイス５を使用する第１ユーザーＵ１と、第２入出力デバイス６を使用する第２ユーザーＵ２とが共有アクセス可能なＶＲ空間を規定する情報である。ＶＲ空間は、２次元又は３次元の空間により定義される。本実施形態では、ＶＲ空間は、研究室又は実験室を再現するものである。また、不適切行動データベースは、不適切行動情報を規定するデータベースである。不適切行動情報は、不可視の不適切事象が発生し得る不適切行動を表す情報である。ここで、不可視の不適切事象とは、例えば、特定の物質を混合することによる有毒ガスの発生、特定の気体発生時にバーナーを起動させることによる引火などである。不適切事象は、具体的には、無機又は有機溶媒その他の化学品を使用した実験下において発生し得る、好ましくない事象のことであるが、これに限定されない。また、図１に示すごとく、適切行動情報を規定するデータベースである適切行動データベースを具備し、この適切行動データベースを逸脱した行動のうち、自己もしくは他者に有害な影響を与えうる、不可視の不適切事象を発生させうる行動を不適切行動と規定することも可能である。
【００１６】
ＶＲ空間は、第１空間及び第２空間を含むことができる。第１空間及び前記第２空間は、それぞれ異なる空間である。そして、第１空間と第２空間が一体となって１つのＶＲ空間を構成する。例えば、第１空間は、作業机を含む仮想空間であり、第２空間は、白衣置場を含む仮想空間であった場合、ＶＲ空間内では、作業机が配置された第１空間と、白衣が配置された第２空間が実空間として隣接しているように再現される。これにより、例えば、第１ユーザーＵ１が第１空間を利用して実験訓練をしており、第１ユーザーＵ１と離れた場所で第２ユーザーＵ２が第２空間を利用して実験訓練をしている場合でも、第１ユーザーＵ１と第２ユーザーＵ２の行動がＶＲ空間内で互いに影響を与えることが可能になる。第１ユーザーＵ１と第２ユーザーＵ２の各作業は作業全体を指揮するトレーナーＴの作業指示に従っても良いし、トレーナーＴを介さずに、予め情報処理装置１に設定されているシナリオに従っても良い。
【００１７】
また、不適切行動は、第１行動と第２行動の組み合わせにより構成されてもよい。ここで、第１行動情報は、第１ユーザーＵ１の実空間における第１行動を表す情報である。また、第２行動情報は、第２ユーザーＵ２の実空間における第２行動を表す情報である。
【００１８】
さらに、第１行動又は第２行動は、ＶＲ空間に対応する実空間において、ユーザーが実際の物を操作する行動を含んでもよい。実際の物とは、図２に示される空間規定部材ＳＤである。本実施形態では、システム１００は、空間規定部材ＳＤを備えることができる。空間規定部材ＳＤは、ＶＲ空間に対応する実空間に配置され、ＶＲ空間を体験中のユーザーが実際に触れることができる部材である。具体的には、空間規定部材ＳＤは、作業机、作業机で再現したドラフトチャンバーやボンベ立て、白衣置き場、プラスチック等で作成したフラスコの模型などが挙げられる。空間規定部材ＳＤを使用することで、ＶＲ空間を使用した訓練中でも、実物の触覚を得ることができ、よりリアルな訓練を受けることが可能になる。このとき、第１行動情報及び第２行動情報は、空間規定部材ＳＤを操作する行動を含む。
【００１９】
＜受信部２０＞
受信部２０は、外部から種々のデータを受信するものである。本実施形態では、受信部２０は、第１入出力デバイス５から第１行動情報を、第２入出力デバイス６から第２行動情報を受信可能に構成される。ここで、第１行動情報は、第１ユーザーＵ１の実空間における第１行動を表す情報である。また、第２行動情報は、第２ユーザーＵ２の実空間における第２行動を表す情報である。これらの行動情報は、各ユーザーの実空間内での動きをリアルタイムで検出して取得した位置情報を含むものである。そして、実空間内における行動を表す行動情報を、実空間に対応するＶＲ空間内での動きを表す情報に変換することが可能である。
【００２０】
＜送信部３０＞
送信部３０は、外部に種々のデータを送信するものである。本実施形態では、送信部３０は、不適切事象の発生を表す発生情報を、第１入出力デバイス５又は第２入出力デバイス６に送信可能に構成される。ここで、発生情報の内容は特に限定されず、例えば、発生した不適切事象の名前又はその説明、不適切事象が発生した原因、不適切への対策等を表す画像、音声、臭いを含めることが可能である。
【００２１】
また、送信部３０は、ＶＲ空間情報を第１入出力デバイス５及び第２入出力デバイス６に送信する。ここで、ＶＲ空間情報は、予め第１入出力デバイス５及び第２入出力デバイス６のメモリに記憶しておくこともできる。
【００２２】
＜制御部１０＞
制御部１０は、情報処理装置１の他の構成要素を制御するものであり、チップ、プロセッサ、プログラム等の組み合わせにより構成される。本実施形態では、制御部１０は、変換部１１、判定部１２、反映部１３を備える。
【００２３】
＜変換部１１＞
変換部１１は、第１行動情報及び第２行動情報を、ＶＲ空間内での行動を表す情報に変換する。すなわち、実空間内における行動を、ＶＲ空間内における行動に変換するものである。
【００２４】
＜判定部１２＞
判定部１２は、ＶＲ空間情報と、第１行動情報と、第２行動情報と、不適切行動情報とに基づいて、第１行動及び第２行動が不適切行動を構成するか否かを判定可能に構成される。具体的には、第１行動情報と第２行動情報をＶＲ空間内での行動に変換し、ＶＲ空間内で第１行動及び第２行動が行われた場合に、これらの行動の組み合わせが不適切行動データベースに記憶された不適切行動に該当するか否かを判定する。これにより、例えば、第１ユーザーＵ１と第２ユーザーＵ２が互いに異なる実験訓練をしていた場合でも、それぞれの行動が組み合わさることにより、意図せぬ事故の発生を検出することができる。
【００２５】
＜反映部１３＞
反映部１３は、第１空間における第１行動を、第２空間に反映可能に構成される。これにより、第１ユーザーＵ１と第２ユーザーＵ２が別の部屋でシステム１００を利用する場合でも、ＶＲ空間内で互いの行動が相互作用するようになる。
【００２６】
（１−２）第１入出力デバイス５及び第２入出力デバイス６
第１入出力デバイス５と第２入出力デバイス６は同様の機能を備えるので、以下、第１入出力デバイス５について説明する。
【００２７】
第１入出力デバイス５は、第１ユーザーＵ１の行動を表す第１行動情報を情報処理装置１に出力するとともに、情報処理装置１から送信された発生情報を入力可能に構成される。本実施形態では、第１入出力デバイス５は、第１ヘッドマウントディスプレイ５１及び第１グローブ５２により構成される。第１ヘッドマウントディスプレイ５１は、任意のヘッドマウントディスプレイであり、表示部にＶＲ空間を表示し、ユーザーがＶＲ空間に没入させるものである。そして、情報処理装置１から受信した発生情報のうち画像情報は、ヘッドマウントディスプレイの表示部に表示する。また、発生情報が音声、臭い、温風などの場合は、ヘッドマウントディスプレイに情報発生器を設けても良いし、ユーザーが検知できる範囲内であれば作業空間内に別装置を配置する構成も可能である。具体的には、発生情報が音声の場合には、第１ヘッドマウントディスプレイ５１に設けられたスピーカーから音声を出力させても良いし、作業空間内に別スピーカーを配置しても良い。温風や臭いの場合も同様にヘッドマウントディスプレイに情報発生器を設ける、もしくは別装置を配置する構成も可能である。
【００２８】
第１グローブ５２は、第１行動情報を取得するものである。第１グローブ５２の構成は特に限定されないが、ビーコン、Ｗｉ−Ｆｉ（登録商標）、Ｂｌｕｅ  ｔｏｏｔｈ（登録商標）、ＧＰＳ等の位置情報を取得できる装置や、加速度センサー、ジャイロセンサー、圧力センサー等のセンサー類を搭載することができる。ここでは具体例として手に装着するグローブを示したが、行動情報取得部位は手に限定されず、作業内容に影響を与えるユーザーの体のあらゆる部位を行動情報取得の対象とすることが可能である。
【００２９】
ここで、第１グローブ５２は必須ではなく、任意の構成により第１入出力デバイス５を実現することができる。例えば、第１グローブ５２に変えてスティック状のデバイスに種々の装置やセンサーを搭載してもよい。また、第１ユーザーＵ１の手にマーカーを付与し、実空間に設置したカメラによりマーカーの軌跡を追跡し、第１行動情報を取得してもよい。ここで、画像処理を利用して第１行動情報を取得する場合には、マーカーは必須ではない。
【００３０】
第２入出力デバイス６は、第１入出力デバイス５と同様に、第２ヘッドマウントディスプレイ６１と第２グローブ６２により構成される。そして、第２入出力デバイス６により、第２ユーザーＵ２の行動を表す第２行動情報が情報処理装置１に出力される。
【００３１】
（１−３）再現装置９
再現装置９は、不適切事象を再現し、ユーザーに擬似的に不適切事象を体験させるものである。再現装置９は、温度、風、熱風、臭い、音、色、光等を再現可能な装置により構成される。例えば、不適切行動の結果、不可視の不適切事象として人体に有毒なガスが発生した場合、人体に無害な成分でかかるガスの臭いや色を再現する。これにより、ユーザーが不適切事象をリアルに体験することができる。
【００３２】
２．共有されるＶＲ空間について
図２は、複数のユーザーにより共有されたＶＲ空間を表す概念図である。図２の例では、第１ユーザーＵ１〜第４ユーザーＵ４がそれぞれ入出力デバイスを装着し、１つのＶＲ空間を共有している。本実施形態では、第１ユーザーＵ１〜第４ユーザーＵ４はそれぞれ、第１実験室〜第４実験室で実験訓練中である場合について説明する。ここで、第３ユーザーＵ３及び第４ユーザーＵ４はそれぞれ、第３入出力デバイス７（第３ヘッドマウントディスプレイ７１及び第３グローブ７２により構成）及び第４入出力デバイス８（第４ヘッドマウントディスプレイ８１及び第４グローブ８２により構成）を装着しているものとする。
【００３３】
第１入出力デバイス５〜第４入出力デバイス８にはそれぞれ、第１空間〜第４空間が表示される。そして、第１空間〜第４空間が一体となって１つのＶＲ空間を構成する。これにより、離れた場所に存在する複数のユーザーの行動が、それぞれのユーザーが体験するＶＲ空間内において互いに影響を与えることになる。
【００３４】
例えば、第１空間は無機溶媒を扱う環境、第２空間は有機溶媒を扱う環境、第３空間は火を扱う環境、第４空間は有害ガスが発生し得る環境として再現することができる。そして、特定の空間における行動が、他の空間に影響することにより、不適切事象が発生する。
【００３５】
ここで、第１実験室〜第４実験室（ＶＲ空間に対応する実空間）に空間規定部材ＳＤ（作業机）を配置することにより、各ユーザーはＶＲ空間内で空間規定部材ＳＤ（作業机）に実際に触れることが可能になり、よりリアルな体験をすることができる。図２の例では、空間規定部材ＳＤとして作業机を配置し、ＶＲ空間内で他の設備（ドラフトチャンバー、ボンベ立て、白衣置場）を表現している。ここで、ＶＲ空間内に配置される設備（空間規定部材ＳＤ以外の設備：以下、仮想設備）については、単なる映像として表現してもよく、実験室（実空間）に作業机を複数配置し、ＶＲ空間内で仮想設備として表現してもよい。さらに、仮想設備を単なる映像として表現する場合には、第１入出力デバイス５に触覚フィードバック機能を搭載し、仮想設備にＶＲ空間内で触れた際にユーザーへ触覚を伝えてもよい。
【００３６】
３．不適切行動データベース
図３は、不適切行動データベースの一例である。不適切行動データベースは、理論及び過去の経験に基づいて解明された不適切事象につき、その発生原因をまとめたデータベースである。図３の例ではテーブル形式で図示しているが、データベースの保存手法はこれに限定されない。
【００３７】
本実施形態では、不適切行動は、実験室内における行動であり、以下の（１）〜（３）について定義している。なお、（１）〜（３）の全てについてデータベース化する必要はなく、（１）〜（３）の少なくとも１つについてデータベース化すればよい。
（１）予め定められた複数の物の組み合わせ
（２）予め定められた複数の行動の組み合わせ
（３）予め定められた物と行動の組み合わせ
【００３８】
（１）は、「複数の物のうち特定の物の配置距離」、又は、「複数の物のうち特定の物の状態変化」、の少なくとも一方について定義することができる。
（２）は、「複数の行動のうち特定の行動の実行順」、又は、「特定の行動の実行間隔」、の少なくとも一方について定義することができる。
（３）は、「物から予め定められた範囲内で行動が実行されること」、又は、「物が開封されてから予め定められた時間内に前記行動が実行されること」、の少なくとも一方について定義することができる。
【００３９】
図３の例では、（１）「配置距離」の場合、「（試薬Ａ，試薬Ｂ）０ｃｍ」とは、試薬Ａと試薬Ｂを接触する位置に配置すると、不適切事象である「有毒ガス発生」が生じ得ることを表している。また、（１）「状態変化」の場合、「（試薬Ａ、試薬Ｅ＞３０℃）」とは、試薬Ａの近傍で試薬Ｅを３０℃以上にすると試薬Ｅの揮発成分が試薬Ａと反応することで「有毒ガス発生」が生じうることを表している。また、「（試薬Ｆ＞３００℃）」とは、試薬Ｆを３００℃以上にすると、「発火」が生じうることを表している。さらに、（炎、試薬Ｇ＞１５０℃）とは、炎の近傍で試薬Ｇを１５０℃以上にすると、「引火」が生じうることを表している。より正確には、上記の不適切事象発生条件を温度と配置距離による関数で表現しても良いし、それぞれの場合でテーブル参照の形をとることも可能である。また、ここで、予め定められた「物」には、試薬以外も含まれる。例えば、(1) 「配置距離」の場合、「（試薬Ｃ、試薬Ｄ）０ｃｍ」とは、試薬Ｃ（例：金属ナトリウム）が試薬Ｄ（例：水）に触れると、不適切事象である「発火」が生じ得ることを表している。また、「（試薬Ｅ、器具Ｘ）０ｃｍ」とは、器具Ｘ（例：ゴム手袋）を使用しないで試薬Ｅ（例：硝酸）に触れると、不適切事象である「火傷」が生じ得ることを表している。なお、図３（１）では配置距離０ｃｍ（接触）を例示したが、以下のように、器具Ｙ（例：ガスバーナー）が試薬Ｆ（例：エーテル）と壁などの障壁なくして一定距離内（配置距離１００ｃｍ）にある中で、試薬Ｆを溢した場合に、不適切事象である「引火」が生じ得るといったように、０ｃｍ以外の値も設定されうる。生物や放射線の影響などの場合にも、０ｃｍ以外の値も設定されうる。
【００４０】
（２）「実行順」の場合、「（行動Ａ→行動Ｂ）」とは、行動Ａの後に行動Ｂを行うと、不適切事象である「飛散による火傷」が生じ得ることを表している。また、（２）「実行間隔」の場合、「（行動Ａ，行動Ｄ）１０Ｓ」とは、行動Ａと行動Ｂを１０秒以内に行うと、不適切事象である「飛散による火傷」が生じ得ることを表している。
【００４１】
（３）「範囲」の場合、「（試薬Ａ，行動Ａ）５０ｃｍ」とは、試薬Ａから５０ｃｍ以内の範囲で行動Ａを行うと、不適切事象である「基板粉末による切創」が生じ得ることを表している。また、（３）「時間」の場合、「（試薬Ａ，行動Ｅ）２０Ｓ」とは、試薬Ａが開封されてから、行動Ｂを１０秒以内に行うと、不適切事象である「発火」が生じ得ることを表している。
【００４２】
ここで、図３は不適切行動データベースの一例であり、（１）〜（３）と異なる観点でデータベースを構築することができる。また、これらのデータを外部のデータベースから収集してもよい。
【００４３】
４．フローチャート
次に、図４を用いて、システム１００が実行する処理について説明する。以下、説明の簡易化のため、第１入出力デバイス５及び第２入出力デバイス６間における相互作用について説明する。
【００４４】
まず、Ｓ１において、送信部３０により、ＶＲ空間情報が第１入出力デバイス５及び第２入出力デバイス６に送信され、第１入出力デバイス５及び第２入出力デバイス６にＶＲ空間情報をセットする。ここで、第１入出力デバイス５及び第２入出力デバイス６にＶＲ空間情報が予め記憶されている場合には、送信部３０からのＶＲ空間情報の送信を省略できる。
【００４５】
次に、Ｓ２において、第１入出力デバイス５で第１空間を再生し、第２入出力デバイス６で第２空間を再生するとともに、第１空間と第２空間を隣接させた状態で１つのＶＲ空間を生成する。これにより、第１ユーザーＵ１と第２ユーザーＵ２でＶＲ空間を共有する。そして、第１ユーザーＵ１と第２ユーザーＵ２がそれぞれの仮想空間内で所定の行動を行う。所定の行動としては、トレーナーＴから与えられた実験をこなすため、種々の器具や試薬を使用する動作が挙げられるが、これに限定されない。
【００４６】
次に、Ｓ３において、受信部２０により、第１行動情報と第２行動情報が受信される。そして、変換部１１により、第１行動情報及び第２行動情報をＶＲ空間内での行動に変換される。あわせて、反映部１３により、第１空間内における第１行動情報に対応する行動が第２空間に反映されるとともに、第２空間内における第２行動情報に対応する行動が第１空間に反映される。
【００４７】
次に、Ｓ４において、判定部１２により、第１行動及び第２行動が不適切行動を構成するか否かが判定される。このとき、不適切行動データベースを参照し、いずれの不適切行動に該当するかが特定される。そして、第１行動及び第２行動が不適切行動を構成すると判定された場合（ＹＥＳ）、Ｓ５に処理を進める。
【００４８】
次に、Ｓ５において、送信部３０により、不適切事象の発生を表す発生情報を、第１入出力デバイス５又は第２入出力デバイス６に送信する。第１入出力デバイス５又は第２入出力デバイス６は、受信した発生情報に基づいて、種々の情報を表示部に表示する。ここで、発生情報は、第１入出力デバイス５及び第２入出力デバイス６に送信してもよい。
【００４９】
そして、Ｓ６において、再現装置９により、不適切事象を再現する。これにより、第１ユーザーＵ１及び第２ユーザーＵ２は、不適切事象を身をもって感じることができる。
【００５０】
一方、Ｓ４において、第１行動及び第２行動が不適切行動を構成しないと判定された場合（ＮＯ）、再びＳ３に処理を戻す。
【００５１】
これにより、互いに異なる第１空間及び第２空間における行動がＶＲ空間内で相互作用し、第１ユーザーＵ１及び第２ユーザーＵ２は、単独では発生しなかったはずの不適切事象を実感することが可能になる。
【００５２】
このように、情報処理装置１を有するシステム１００によれば、複数の人の行動の相互作用によって発生する不適切事象（事故現象）を再現させることが可能になった。これにより、情報処理装置１又はシステム１００は、各当事者の相互作用に起因する「もらい事故」を理解するための教育教材として利用することができる。かかる技術により、学生、研究者、教職員らによる規則や規制の遵守にとどまらず、研究者自らが環境安全を自分の問題として捉え、自発的に考えるようになるための合理的かつ実効的で具体的な環境安全教育の実現が可能となる。
【００５３】
５．その他
本発明は以下の態様でも実施可能である。
【００５４】
システムであって、情報処理装置、第１入出力デバイス及び第２入出力デバイスを備え、前記情報処理装置は、第１入出力デバイス及び前記第２入出力デバイスと通信可能に構成され、前記情報処理装置は、記憶部と、受信部と、判定部と、送信部とを備え、前記記憶部は、ＶＲ空間情報と、不適切行動データベースとを記憶し、ここで、前記ＶＲ空間情報とは、前記第１入出力デバイスを使用する第１ユーザーと、前記第２入出力デバイスを使用する第２ユーザーとが共有アクセス可能なＶＲ空間を規定する情報であり、前記不適切行動データベースとは、不適切行動情報を規定するデータベースであり、ここで、前記不適切行動情報とは、不可視の不適切事象が発生し得る不適切行動を表す情報であり、前記受信部は、前記第１入出力デバイスから第１行動情報を、前記第２入出力デバイスから第２行動情報を受信可能に構成され、ここで、前記第１行動情報とは、前記第１ユーザーの実空間における第１行動を表す情報であり、前記第２行動情報とは、前記第２ユーザーの実空間における第２行動を表す情報であり、前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、前記送信部は、前記不適切行動を構成すると判定された場合、前記不適切事象の発生を表す発生情報を、前記第１入出力デバイス及び前記第２入出力デバイスに送信可能に構成され、前記第１入出力デバイス及び前記第２入出力デバイスは、前記発生情報を前記第１ユーザー及び前記第２ユーザーに提示可能に構成される、システム。
【００５５】
第１入出力デバイス及び第２入出力デバイスと通信可能なコンピュータを、記憶部、受信部、判定部及び送信部として機能させるプログラムであって、前記記憶部は、ＶＲ空間情報と、不適切行動データベースとを記憶し、ここで、前記ＶＲ空間情報とは、前記第１入出力デバイスを使用する第１ユーザーと、前記第２入出力デバイスを使用する第２ユーザーとが共有アクセス可能なＶＲ空間を規定する情報であり、前記不適切行動データベースとは、不適切行動情報を規定するデータベースであり、ここで、前記不適切行動情報とは、不可視の不適切事象が発生し得る不適切行動を表す情報であり、前記受信部は、前記第１入出力デバイスから第１行動情報を、前記第２入出力デバイスから第２行動情報を受信可能に構成され、ここで、前記第１行動情報とは、前記第１ユーザーの実空間における第１行動を表す情報であり、前記第２行動情報とは、前記第２ユーザーの実空間における２１行動を表す情報であり、前記判定部は、前記ＶＲ空間情報と、前記第１行動情報と、前記第２行動情報と、前記不適切行動情報とに基づいて、前記第１行動及び前記第２行動が前記不適切行動を構成するか否かを判定可能に構成され、前記送信部は、前記不適切行動を構成すると判定された場合、前記不適切事象の発生を表す発生情報を、前記第１入出力デバイス及び前記第２入出力デバイスに送信可能に構成される、プログラム。
【００５６】
最後に、本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００５７】
１      ：情報処理装置
５      ：第１入出力デバイス
６      ：第２入出力デバイス
７      ：第３入出力デバイス
８      ：第４入出力デバイス
９      ：再現装置
１０    ：制御部
１１    ：変換部
１２    ：判定部
１３    ：反映部
２０    ：受信部
３０    ：送信部
４０    ：記憶部
５１    ：第１ヘッドマウントディスプレイ
５２    ：第１グローブ
６１    ：第２ヘッドマウントディスプレイ
６２    ：第２グローブ
７１    ：第３ヘッドマウントディスプレイ
７２    ：第３グローブ
８１    ：第４ヘッドマウントディスプレイ
８２    ：第４グローブ
１００  ：システム
ＳＤ    ：空間規定部材
Ｕ１    ：第１ユーザー
Ｕ２    ：第２ユーザー
Ｕ３    ：第３ユーザー
Ｕ４    ：第４ユーザー
Ｔ      ：トレーナー
【図１】
2020235354.tif 000003
【図２】
2020235354.tif 000004
【図３】
2020235354.tif 000005
【図４】
2020235354.tif 000006
【国際調査報告】
2020235354.tif 000007
2020235354.tif 000008
2020235354.tif 000009
2020235354.tif 000010